(57)【要約】【課題】  手書き入力された医療情報を表す電子情報を有効に利用する。【解決手段】  医療情報管理システム２００において、電子ペン１２は、用紙１０に手書き入力された医療情報データを取得する。図形領域特定部６２は、取得された医療情報データに基づいて、医療情報データに含まれる図形データが示す図形によって画定される図形領域を特定する。コメント領域特定部６４は、特定された図形領域に対して所定の位置にあるコメント領域を特定する。コメントデータ特定部７０は、取得された医療情報データのうち、コメント領域に手書き入力されたコメントデータを特定する。記憶部４４は、取得された医療情報データと特定されたコメントデータとを関連付けて格納する。【選択図】  図１
2007025760.tif 000002
【特許請求の範囲】
【請求項１】
手書き入力された医療情報データを取得する医療情報データ取得手段と、
前記取得された医療情報データに基づいて、前記医療情報データに含まれる図形データが示す図形によって画定される図形領域を特定する図形領域特定手段と、
前記特定された図形領域に対して所定の位置にあるコメント領域を特定するコメント領域特定手段と、
前記取得された医療情報データのうち、前記コメント領域に手書き入力されたコメントデータを特定するコメントデータ特定手段と、
前記取得された医療情報データと前記特定されたコメントデータとを関連付けて格納する医療情報記憶手段と、
を備えることを特徴とする医療情報管理システム。
【請求項２】
前記医療情報データのうち、前記図形領域と前記コメント領域とを結ぶ引き出し線を示す引き出し線データを特定する引き出し線データ特定手段をさらに備え、
前記コメントデータ特定手段は、前記特定された引き出し線データに基づいて、前記医療情報データのうち、前記引き出し線により引き出されて手書き入力されたコメントデータを特定することを特徴とする請求項１に記載の医療情報管理システム。
【請求項３】
手書き入力された医療情報データを取得する医療情報データ取得手段と、
医療情報データが手書き入力される入力領域に予め表された図形によって画定される図形領域を示す図形領域データを格納する図形領域記憶手段と、
前記格納された図形領域データが示す図形領域に対して所定の位置にあるコメント領域を特定するコメント領域特定手段と、
前記医療情報データのうち、前記コメント領域に手書き入力されたコメントデータを特定するコメントデータ特定手段と、
前記取得された医療情報データと前記特定されたコメントデータとを関連付けて格納する医療情報記憶手段と、
を備えることを特徴とする医療情報管理システム。
【請求項４】
前記図形領域データが示す図形領域を識別する図形領域識別データを格納する図形領域識別データ記憶手段をさらに備え、
前記医療情報記憶手段は、前記コメントデータが手書き入力された位置に基づいて、前記取得された医療情報データと前記図形領域識別データとを関連付けて格納することを特徴とする請求項３に記載の医療情報管理システム。
【請求項５】
前記図形領域に含まれる部分領域を示す部分領域データを格納する部分領域記憶手段と、前記部分領域データが示す部分領域を識別する部分領域識別データを格納する部分領域識別データ記憶手段をさらに備え、
前記医療情報記憶手段は、前記コメントデータが手書き入力された位置に基づいて、前記取得された医療情報データと前記部分領域識別データとを関連付けて格納することを特徴とする請求項３または４に記載の医療情報管理システム。
【請求項６】
手書き入力された医療情報データを取得するステップと、
前記取得された医療情報データに基づいて、前記医療情報データに含まれる図形データが示す図形によって画定される図形領域を特定するステップと、
前記特定された図形領域に対して所定の位置にあるコメント領域を特定するステップと、
前記取得された医療情報データのうち、前記コメント領域に手書き入力されたコメントデータを特定するステップと、
前記取得された医療情報データと前記特定されたコメントデータとを関連付けて格納するステップと、
を備えることを特徴とする医療情報管理方法。
【請求項７】
手書き入力された医療情報データを取得するステップと、
医療情報データが手書き入力される入力領域に予め表された図形によって画定される図形領域を示す図形領域データを格納するステップと、
前記格納された図形領域データが示す図形領域に対して所定の位置にあるコメント領域を特定するステップと、
前記医療情報データのうち、前記コメント領域に手書き入力されたコメントデータを特定するステップと、
前記取得された医療情報データと前記特定されたコメントデータとを関連付けて格納するステップと、
を備えることを特徴とする医療情報管理方法。
【発明の詳細な説明】
【技術分野】
【０００１】
本発明は、医療情報管理システムおよび医療情報管理方法に関し、特に手書き入力された医療情報を取り扱う医療情報管理システムおよび医療情報管理方法に関する。
【背景技術】
【０００２】
医療分野では、従来より所見や診断情報などの医療情報が紙のカルテ用紙に記載されることが一般的である。近年、医療における技術革新に伴い、カルテに記載される内容をパーソナル・コンピュータを用いて電子化する電子カルテ化が急速に普及している。しかし、医療情報には図形情報であるシェーマも含まれ、これをたとえばキーボードやマウスなどにより入力することは容易ではない。このため、たとえば特許文献１では、特定の用紙に電子ペンで記入することにより用紙に記入された内容を示すデータを取得し、取得されたデータに対し、患者が正しいことの照合などの処理をサーバがを行う医療情報入力システムが提案されている。また、たとえば特許文献２では、特定の用紙に電子ペンで記入することにより用紙に記入された内容を示すデータを取得してデータベースに登録し、用紙に追記された場合は追記データを登録するカルテ管理システムが提案されている。
【特許文献１】特開２００４−３０２５７号公報
【特許文献２】特開２００４−５４３７５号公報
【発明の開示】
【発明が解決しようとする課題】
【０００３】
特許文献１および特許文献２においては、特定の用紙に電子ペンで記入することにより用紙に記入された内容を示すデータを取得し、取得されたデータを登録処理などする技術についての開示はある。しかし、このようなデータをさらに利用する技術については開示されていない。このため、医療情報を表す電子情報をさらに有効に利用する技術の開発が求められている。
【０００４】
本発明はこうした課題に鑑みてなされたものであり、その目的は、手書き入力された医療情報を表す電子情報を有効に利用することにある。
【課題を解決するための手段】
【０００５】
上記課題を解決するために、本発明のある態様の医療情報管理システムは、手書き入力された医療情報データを取得する医療情報データ取得手段と、取得された医療情報データに基づいて、医療情報データに含まれる図形データが示す図形によって画定される図形領域を特定する図形領域特定手段と、特定された図形領域に対して所定の位置にあるコメント領域を特定するコメント領域特定手段と、取得された医療情報データのうち、コメント領域に手書き入力されたコメントデータを特定するコメントデータ特定手段と、取得された医療情報データと特定されたコメントデータとを関連付けて格納する医療情報記憶手段と、を備える。
【０００６】
この態様によれば、手書き入力された医療情報を表す医療情報データと、医療情報データから特定したコメントデータを関連付けることができ、コメントデータを医療情報データに対応付けた状態で有効に利用することができる。
【０００７】
本態様の医療情報管理システムは、医療情報データのうち、図形領域とコメント領域とを結ぶ引き出し線を示す引き出し線データを特定する引き出し線データ特定手段をさらに備えてもよい。コメントデータ特定手段は、特定された引き出し線データに基づいて、医療情報データのうち、引き出し線により引き出されて手書き入力されたコメントデータを特定してもよい。この態様によれば、引き出し線により引き出されて記入されたコメントを電子情報として有効に利用することができる。
【０００８】
本発明の別の態様もまた、医療情報管理システムである。本態様の医療情報管理システムは、手書き入力された医療情報データを取得する医療情報データ取得手段と、  医療情報データが手書き入力される入力領域に予め表された図形によって画定される図形領域を示す図形領域データを格納する図形領域記憶手段と、格納された図形領域データが示す図形領域に対して所定の位置にあるコメント領域を特定するコメント領域特定手段と、医療情報データのうち、コメント領域に手書き入力されたコメントデータを特定するコメントデータ特定手段と、取得された医療情報データと特定されたコメントデータとを関連付けて格納する医療情報記憶手段と、を備える。この態様によれば、あらかじめ図形が表された用紙に医療情報を手書き入力した場合においても、医療情報を電子情報として有効に利用することができる。
【０００９】
図形領域データが示す図形領域を識別する図形領域識別データを格納する図形領域識別データ記憶手段をさらに備えてもよい。医療情報記憶手段は、コメントデータが手書き入力された位置に基づいて、取得された医療情報データと図形領域識別データとを関連付けて格納してもよい。この態様によれば、あらかじめ図形が表された用紙に医療情報を手書き入力した場合においても、コメントデータの対象となるあらかじめ表された図形領域の名称などの識別データを、医療情報データと関連づけて格納することができ、手書き入力された医療情報を電子情報として有効に利用することができる。
【００１０】
図形領域に含まれる部分領域を示す部分領域データを格納する部分領域記憶手段と、部分領域データが示す部分領域を識別する部分領域識別データを格納する部分領域識別データ記憶手段をさらに備えてもよい。医療情報記憶手段は、コメントデータが手書き入力された位置に基づいて、取得された医療情報データと部分領域識別データとを関連付けて格納してもよい。この態様によれば、あらかじめ図形が表された用紙に医療情報を手書き入力した場合においても、コメントデータの対象となるあらかじめ表された図形の部分領域の名称などの識別データを、医療情報データと関連づけて格納することができ、手書き入力された医療情報を電子情報として有効に利用することができる。
【００１１】
なお、以上の構成要素の任意の組合せや、本発明の構成要素や表現をコンピュータプログラム、コンピュータプログラムを格納した記録媒体などの間で相互に置換したものもまた、本発明の態様として有効である。
【発明の効果】
【００１２】
本発明の医療情報管理システムおよび医療情報管理方法によれば、手書き入力された医療情報を表す電子情報を有効に利用することができる。
【発明を実施するための最良の形態】
【００１３】
以下、図面を参照して本発明の実施の形態（以下、「実施形態」という。）について詳細に説明する。
【００１４】
（第１の実施形態）
本発明の実施形態を具体的に説明する前に、まず本実施形態に係る医療情報管理システムについて簡単に述べる。まず、ユーザが電子ペン１２を用いて用紙１０に医療情報を手書き入力する。本実施形態にかかる医療情報管理システムは、用紙１０に記入された医療情報を医療情報データとして取得し、この取得した医療情報データに基づいて、用紙のうち医療情報データに含まれる図形データが示す図形によって画定される図形領域を特定する。さらに特定された図形領域に対して所定の位置にあるコメント領域を特定する。取得された医療情報データのうち、このコメント領域に手書き入力されたコメントデータを特定し、取得された医療情報データとこの特定されたコメントデータとを関連付けて記憶手段に格納する。
【００１５】
図１は、第１の実施形態に係る医療情報管理システム２００の全体構成を示す図である。医療情報管理システム２００は、電子ペン１２、ワークステーション３０、サーバ４０などを有する。
【００１６】
医療情報管理システム２００において、ユーザが用紙１０に電子ペン１２を使って手書き入力すると、電子ペン１２は用紙１０に記入された内容を逐次取得することができる。したがって、用紙１０は、医療情報データが手書き入力される入力媒体として機能し、電子ペン１２は、用紙１０に入力された内容をデータとして取得するデータ取得手段として機能する。この電子ペン１２は、ペン部１４、感圧部１６、カメラ部１８、処理部２０、記憶部２２、送信部２４などを有している。
【００１７】
ペン部１４は、ペン先が用紙１０に押しつけられた状態で移動されることによりインクを出して、用紙１０への記録を行う。感圧部１６は圧電素子を有しており、ペン部１４に固定されて、ペン部１４にかかる力や圧力を検出する。ペン部１４により用紙１０への記入が行われているとき、ペン部１４が用紙１０に押しつけられることから、感圧部１６は電子ペン１２により手書き入力されていることを検出する。カメラ部１８は、赤外線によりペン部１４先端部周辺で用紙１０の紙面に印刷されたドットパターンを読み取る。
【００１８】
用紙１０には、カーボンを含有するインクにより印刷された特殊なドットパターンが形成されている。このドットパターンが形成された領域は、ユーザが電子ペン１２を用いて医療情報を入力する入力領域となる。ここで医療情報とは、医師などにより用紙に記入される情報をいい、たとえばカルテ用紙などに記載される患者の氏名、担当医の氏名、診断日、臓器図形や患部図形を表すシェーマ、所見、診断結果、引き出し線などが含まれ、また、引用番号などの引用情報も含まれる。
【００１９】
入力領域に印刷されたドットパターンの各々のドットは、その位置を特定することができるように２次元的に配置され印刷されている。この用紙１０に電子ペン１２により手書き入力されると、まず感圧部１６により電子ペン１２により手書き入力されていることが検出される。感圧部１６により手書き入力されていることが検出されている間、カメラ部１８は用紙１０のドットパターンを読み取る。これによって、電子ペン１２は、手書き入力されているときのペン部１４の先端の軌跡を取得することができ、用紙１０に記入された内容をデータとして取得することができる。したがって、たとえば用紙１０に電子ペン１２によりシェーマや所見、診断結果などの医療情報が手書き入力された場合、電子ペン１２は、手書き入力された医療情報を、この医療情報を示す医療情報データとして取得することができる。
【００２０】
なお、用紙１０は、それぞれ用紙ＩＤを有している。電子ペン１２は、ドットパターンを読み取ることによりこの用紙ＩＤを取得することができる。このため、同一の用紙１０に追記された場合においても、以前に記入された内容を示すデータを容易に特定することができ、このデータに追記データを容易に関連付けすることができる。また、この用紙ＩＤは、後述するようにフォームを特定するためにも利用することができる。
【００２１】
処理部２０は、カメラ部１８により読み取られたデータに対して、データ圧縮処理や電子ペン１２のＩＤを付加するなどの処理を実施する。記憶部２２は、処理部２０により処理が実施されたデータを格納する。送信部２４は記憶部２２に格納された情報を外部にＢｌｕｅｔｏｏｔｈ（登録商標）により無線で送信する。なお、電子ペン１２は、ＵＳＢ（Universal Serial Bus）インターフェース（図示せず）を有している。このため、電子ペン１２は、ＵＳＢケーブルにより有線で外部にデータを出力することもできる。
【００２２】
ワークステーション３０は、内視鏡部門や病理部門などの検査系システム、複数の病棟からなる病棟システム、医事会計部門や薬剤部門などのサポート系システムなどの各部門に配置されており、ネットワーク３８を通じて相互に接続されている。また、ネットワーク３８には後述するサーバ４０も接続されており、各部門のワークステーション３０はサーバ４０にデータの送受信を行うことが可能となっている。
【００２３】
ワークステーション３０は、受信部３２、記憶部３４、入出力部３６などを有する。受信部３２は、電子ペン１２から送信されたデータを受信する。記憶部３４は、受信部３２により受信されたデータを格納する。入出力部３６は、ネットワーク３８を通じてサーバ４０または他の部門のワークステーション３０とデータの送受信を行う。電子ペン１２から受信され記憶部３４に格納されたデータは、この入出力部３６によりネットワーク３８を通じてサーバ４０に出力される。このようにワークステーション３０は、電子ペン１２からデータを受信してサーバ４０にデータを出力するデータ中継手段としての機能を有する。
【００２４】
サーバ４０は、入出力部４２、記憶部４４、情報処理部６０などを有している。入出力部４２は、ネットワーク３８を通じて各部門のワークステーション３０とデータの送受信を行う。電子ペン１２により取得されたデータは、ワークステーション３０およびネットワーク３８を介してこの入出力部４２によりサーバ４０に入力される。
【００２５】
記憶部４４は、入出力部４２によりワークステーション３０から入力されたデータを格納する。したがって、記憶部４４は、医療情報データを格納する医療情報記憶手段として機能する。記憶部４４は、このようにワークステーション３０から入力されたデータを格納するだけでなく、領域特定情報４６、臓器形状情報４８、部位領域情報５０、フォーム情報５２などを予め格納している。
【００２６】
領域特定情報４６には、後述する医療情報データの図形領域に対するコメント領域の位置を特定する相対位置情報が含まれている。相対位置情報には、たとえば、コメント領域は図形領域の内側である旨の情報やコメント領域は図形領域の外側である旨の情報が含まれていてもよい。複数の相対位置情報が存在する場合、１つ以上の相対位置情報がデフォルトとして設定された状態であってもよい。ユーザはキーボードやマウスなどを使っていずれかの相対位置情報を選択して設定することができ、たとえば、図形領域の内側をコメント領域とするか外側をコメント領域とするかを選択して設定することができる。後述するコメント領域特定部６４は、領域特定情報４６の設定状態に基づいてコメント領域を特定することができる。
【００２７】
臓器形状情報４８には、様々な種類の臓器の形状、およびこれらの臓器の名称を示す臓器名称情報が含まれている。したがって、臓器形状情報４８は、臓器を表す図形の領域を示す図形領域データとして利用することができる。また、臓器名称情報は、臓器を表す図形の領域を識別する図形領域識別データとして利用することができる。後述する臓器特定部７６は、この臓器形状情報４８を利用して、手書き入力された図形情報であるシェーマがどの臓器であるかを特定することができる。
【００２８】
部位領域情報５０には、様々な種類の臓器の部位の領域を示す情報、およびこれらの部位の名称を示す部位名称情報が含まれている。したがって部位領域情報５０は、部位の領域を表す部分領域データとして利用することができる。また、部位名称情報は、部位の領域を識別する部分領域識別データとして利用することができる。部位を表す領域を識別する。これによって、たとえば臓器形状情報４８を利用して、手書き入力されたシェーマがいずれかの臓器であると特定された場合に、この臓器内部に記載された所見や患部図形、引き出し線などから、対象となる箇所である部位を特定することが可能となる。
【００２９】
医師などが医療情報を手書き入力する場合、用紙１０に各種の医療情報を記入するための記入欄や臓器の形状が予め表されたフォームが使用される場合がある。このような場合に、フォームの記入欄の領域や臓器の領域を特定するために、記憶部４４にはフォーム情報５２が格納されている。フォーム情報５２には、シェーマ記入領域情報５４、臓器領域情報５６、および部位領域情報５８が含まれている。
【００３０】
医師などが医療情報を手書き入力する場合、たとえば用紙１０に患者の氏名や担当医の氏名、診断を行った日付などの情報を記載する領域である患者氏名欄、担当医氏名欄、診断日欄などが設けられ、これらの欄と別にシェーマを記入する領域であるシェーマ記入欄が設けられたフォームを使用する場合がある。医療情報を有効に利用するためには、シェーマに関連するコメントと、これら氏名や日付などの情報とを区別することが好ましい。このため、記憶部４４には、シェーマを記入する領域を特定するシェーマ記入領域情報５４が格納されており、情報処理部６０は、このシェーマ記入領域情報５４を利用して、シェーマを記入する領域を特定することができる。
【００３１】
また、医師などが医療情報を手書き入力する場合、たとえば用紙１０に臓器を示す図形があらかじめ表されたフォームを使用する場合がある。医療情報を有効に利用するためには、このような場合においても、所見などのコメントがどの臓器に関連するのかを特定できることが好ましい。このため、記憶部４４には、入力領域に予め表された図形によって画定される図形領域を示す図形領域データとして利用可能な臓器領域情報５６が格納されている。臓器領域情報５６は、用紙１０に表された臓器の名称である臓器名称情報も含まれている。この臓器名称情報は、図形領域を識別する図形領域識別データとして利用することができる。臓器領域情報５６には、フォームに表された臓器の領域を示す情報が含まれている。したがって、医師などがに電子ペン１２を使ってこのようなフォームに医療情報を手書き入力した場合に、臓器特定部７６は、臓器領域情報５６を利用してフォームに表された臓器の領域を特定することができる。
【００３２】
また、医療情報を有効に利用するためには、前述のフォームを使用する場合においても、所見などのコメントが臓器のどの部位に関連するのかを特定できることが好ましい。このため、記憶部４４には、図形領域に含まれる部分領域を示す部分領域データとして利用可能な部位領域情報５８が格納されている。部位領域情報５８は、用紙１０に表された部位の名称である部位名称情報も含まれている。この部位名称情報は、部位領域を識別する部分領域識別データとして利用することができる。部位領域情報５８には、フォームに表された臓器のうち、各部位の領域を示す情報が含まれている。したがって、医師などがに電子ペン１２を使ってこのようなフォームに医療情報を手書き入力した場合に、部位特定部７８は、所見などのコメントがどの臓器または部位に関連するかを特定することができる。
【００３３】
情報処理部６０は、電子ペン１２によって取得されネットワーク３８を通じて入力された医療情報データに所定の処理を行う。情報処理部６０は、図形領域特定部６２、コメント領域特定部６４、図形データ特定部６６、引き出し線データ特定部６８、コメントデータ特定部７０、コメント対象特定部７４などを有している。
【００３４】
図形データ特定部６６は、入力された医療情報データから図形データを特定する。図形データ特定部６６は、たとえば手書き入力された連続するラインの長さが所定以上の値であれば、文字を構成するラインではなく、図形を構成するラインとして認識することなどにより、図形データを特定する。図形領域特定部６２は、図形データ特定部６６により特定された図形データから、その図形により画定する図形領域を特定する。コメント領域特定部６４は、特定された図形領域と前述の領域特定情報４６からコメント領域を特定する。これにより、コメントデータが存在する領域を特定することができる。
【００３５】
引き出し線データ特定部６８は、医療情報データの中から引き出し線データを特定する。引き出し線データ特定部６８は、たとえば所定の長さ以上の長さを有するラインのデータであって、ラインの一端が図形領域に位置し他端がコメント領域に位置するラインの医療情報データを、引き出し線データとして特定する。また、たとえば所定の長さ以上の長さを有するラインのデータであって、ラインの一方の端部がコメント領域に位置する医療情報データに対して所定の距離より近接するラインのデータを引き出し線データとして特定する。また、たとえば所定の長さ以上の長さを有するラインのデータであって、ラインの一端が図形領域に位置し他端が図形領域外に位置するラインの医療情報データを、引き出し線データとして特定する。
【００３６】
コメントデータ特定部７０は、医療情報データの中から、コメント領域特定部６４により特定されたコメント領域に位置するデータを特定することにより、コメントデータを特定する。コメントデータ特定部７０は、画像データまたは線分データをテキストデータに変換するテキスト変換部７２を有している。コメントデータ特定部７０は特定されたコメントデータをテキスト変換部７２によってテキスト情報に変換する。これによって、コメントデータを利用しやすいものとすることができる。
【００３７】
コメント対象特定部７４は、所見、診断結果などのコメントが、どの臓器や部位に関連するかを特定する。コメント対象特定部７４は、臓器特定部７６および部位特定部７８を有している。臓器特定部７６は、記憶部４４に格納された臓器形状情報４８やフォーム情報５２の臓器領域情報５６などを参照し、コメントデータが対象とする臓器を特定する。部位特定部７８は、記憶部４４に格納された部位領域情報５０や部位領域情報５８などを参照し、コメントデータが関連する臓器の部位を特定する。
【００３８】
図２は、第１の実施形態に係る医療情報管理システム２００により医療情報データに実施される処理を示すフローチャートである。
【００３９】
まず、ユーザが電子ペン１２で用紙１０に医療情報１００を手書き入力する（Ｓ１１）。用紙１０に医療情報が手書き入力されることにより、カメラ部１８が用紙１０のドットパターンを読み取り、電子データとして記憶部２２に格納する。これにより、電子ペン１２は用紙１０に手書き入力された医療情報を医療情報データとして取得する。取得された医療情報データは、所定時間ごとに、または手書き入力終了の入力があったときに、ワークステーション３０に送信され、ワークステーション３０およびネットワーク３８を介してサーバ４０に入力される。サーバ４０に入力された医療情報データは、記憶部４４に格納される（Ｓ１２）。手書き入力終了の入力があったときとは、たとえば用紙１０の所定の領域に電子ペン１２によって書き込み終了のチェックなどの記入がされたときなどをいう。
【００４０】
たとえば、医師が図３（ａ）に示されるような医療情報１００を電子ペン１２により用紙１０に手書き入力したものとする。医療情報１００には、シェーマ１０２、および所見や診断結果などのコメント１０４などが含まれる。本図において、シェーマ１０２には、臓器図形１０２ａおよび患部図形１０２ｂが含まれている。本図の臓器図形１０２ａは、胃の断面の図形を表しており、患部図形１０２ｂは胃にできた潰瘍の患部の図形を表している。また、臓器図形１０２ａの内部には、「潰瘍」という文字からなる所見であるコメント１０４が記入されている。
【００４１】
電子ペン１２は、医療情報１００が用紙１０に手書き入力されているときに用紙１０に印刷されたドットパターンを読み取る。こうして電子ペン１２は、これら臓器図形１０２ａ、患部図形１０２ｂ、コメント１０４を含む医療情報１００を電子情報である医療情報データとして取得する。取得された医療情報データは、ワークステーション３０に送信され、ワークステーション３０およびネットワーク３８を介してサーバ４０に入力され、記憶部４４に格納される。
【００４２】
医療情報データが取得および格納されると、まず、取得された医療情報データから図形データ特定部６６が図形データを特定する。図形領域特定部６２は、特定された図形データに基づいて、取得された医療情報データが示す医療情報の中で、特定された図形により画定される図形領域を特定する（Ｓ１３）。たとえば、図３（ａ）に示される医療情報１００の例では、図形データ特定部６６は、用紙１０に入力されたラインの長さなどから、臓器図形１０２ａを示す２つのラインの医療情報データと、この２つのラインの間に記入された患部図形１０２ｂを示す医療情報データを図形データとして特定する。なお、記憶部４４に複数の患部図形を示す患部図形データが格納されていてもよい。図形データ特定部６６は、患部図形データが示す患部図形に類似する医療情報データを検索し、類似する医療情報データが存在する場合には、その医療情報データをその患部図形を示す図形データとして特定してもよい。たとえば図３（ａ）に示される医療情報１００の例では、図形データ特定部６６は、記憶部４４に格納される患部図形データが示す患部図形に患部図形１０２ｂが類似する場合、患部図形１０２ｂを患部を示す図形データとして特定する。
【００４３】
図形領域特定部６２は、図形データ特定部６６によって特定された図形により領域が閉じられない場合は、この閉じられない箇所に補完ラインを補完することにより図形領域を特定する。たとえば、図３（ａ）に示される医療情報１００の例では、胃の断面を表す２つのラインからなる臓器図形１０２ａは、胃の入口部および出口部において離間したままラインが終了している。このため、図形領域特定部６２は、図形領域を特定するために、この２つのラインの端部同士を結ぶ補完ラインを補完する。これにより、臓器図形１０２ａを閉じた領域とすることができ、図形領域を特定することが可能となる。
【００４４】
また、特定された図形データが示す図形によって画定される領域が複数ある場合、図形領域特定部６２は、特定された図形データが示す図形によって画定される領域のすべてを図形領域として特定する。また、これら複数の領域が相互に重複する場合は、重複する複数の領域を一つの図形領域として特定する。また、一方の大きな領域が他方の小さな領域を包含する場合は、大きな領域を図形領域として特定する。たとえば、図３（ａ）に示される医療情報１００の例では、胃の断面を表す２つのラインからなる臓器図形１０２ａにより画定される領域と、潰瘍の患部を表す図形からなる患部図形１０２ｂにより画定される領域がある。図３（ａ）の例では、患部図形１０２ｂは臓器図形１０２ａに包含されるため、図形領域特定部６２は、臓器図形１０２ａを図形領域１０６として特定する。
【００４５】
図形領域が特定されると、コメント領域特定部６４は、コメント領域を特定する（Ｓ１４）。コメント領域特定部６４は、記憶部４４に格納される領域特定情報４６設定状態に基づいて、図形領域に対するコメント領域の位置を特定する。本実施形態においては、領域特定情報４６では、図形領域の内側をコメント領域とする相対位置情報が設定されている。したがって、コメント領域特定部６４は、図形領域の内側をコメント領域として特定する。たとえば図３（ａ）に示される医療情報１００の例では、図形領域１０６がそのままコメント領域として特定される。
【００４６】
コメント領域が特定されると、コメントデータ特定部７０は、コメント領域として特定された領域に位置する医療情報データを、コメントデータとして特定する（Ｓ１５）。このとき、コメント領域外の医療情報データをコメントデータから除外することで、効率的にコメントデータを抽出することができる。コメントデータ特定部７０は、テキスト変換部７２により、特定されたコメントデータをテキスト情報に変換する。たとえば図３（ａ）に示される医療情報１００の例では、臓器特定部７６は、図形領域１０６の内部に記入された医療情報１００である「潰瘍」という文字からなるコメント１０４を示す医療情報データを、コメントデータとして特定する。「潰瘍」という文字を示す医療情報データは、テキスト変換部７２によりテキスト情報に変換される。
【００４７】
コメントデータが特定されると、医療情報データとテキスト情報に変換されたコメントデータは、関連付けられて記憶部４４に格納される（Ｓ１６）。これによって、手書き入力された医療情報を表す医療情報データを有効に利用することが可能となる。
【００４８】
相互に関連付けられ記憶部４４に格納された医療情報データとコメントデータは、サーバ４０または各部門に配置されたワークステーション３０から閲覧することができる。この場合、図３（ｂ）に示されるようなカルテ画面１１０がディスプレイ（図示せず）に表示される。
【００４９】
カルテ画面１１０は、医療情報画面１１２およびコメント情報画面１１４などにより構成される。医療情報画面１１２には、サーバ４０に入力された医療情報データが示す医療情報１００が表示される。医療情報画面１１２には、入力された医療情報データが示す医療情報１００のすべてが表示される。たとえば、医師などにより手書き入力された所見である「潰瘍」という文字も、手書き入力された形態によって医療情報画面１１２に表示される。これにより、用紙１０に手書き入力された医療情報１００と同じ情報を医療情報画面１１２に表示することができる。
【００５０】
医療情報画面１１２に医療情報１００が表示されるときは、コメント情報画面１１４に、医療情報１００に関連付けられて格納されたコメントデータが表示される。このとき、コメント情報画面１１４には、手書き入力されたコメント１０４がテキスト変換されたテキスト情報として表示される。たとえば、医師などにより手書き入力された所見である「潰瘍」という文字は、テキスト変換されコメント情報画面１１４に表示される。以上により、まず所見や診断結果などのコメントがシェーマと区別されてコメント情報画面１１４に表示されるため、コメント情報画面１１４を見るだけで所見や診断結果などのコメントを確認することができる。たとえば図３（ｂ）に示される例では、医療情報画面１１２を閲覧した者は、コメント情報画面１１４を見れば所見が「潰瘍」であることを把握することができる。これによって、コメントを迅速に確認することができ、効率的な医療環境を医師などに提供することができる。また、コメント情報はテキスト情報に変換されているため、コメント情報画面１１４を見る者にコメントをわかりやすく表示することができる。テキスト情報に変換されているため、コメント情報の文字の拡大、および字体や色の変更なども容易に行うこともでき、コメントをさらにわかりやすく表示することもできる。
【００５１】
（第２の実施形態）
図４（ａ）は用紙１０に手書き入力された医療情報１００を示す図であり、図４（ｂ）は第２の実施形態に係る医療情報管理システム２００によって医療情報１００が処理され、カルテ画面１１０に表示された状態を示す図である。なお、第１の実施形態と同様の箇所については説明を省略する。
【００５２】
本実施形態では、領域特定情報４６においてコメント領域は図形領域の外側である旨の相対位置情報が設定されている。このため図４（ａ）に示される医療情報１００の例において、図形領域特定部６２は、第１の実施形態と同様に、臓器図形１０２ａにより画定する領域を図形領域１０６として特定する。したがって、コメント領域特定部６４は、臓器図形１０２ａの外側をコメント領域として特定する。図４（ａ）では、コメント１０４は臓器図形１０２ａの外側に記入されている。したがってコメントデータ特定部７０はコメント１０４を示す医療情報データをコメントデータとして特定する。コメントデータ特定部７０は特定されたコメントデータに対してテキスト変換を実施する。
【００５３】
医療情報データは、テキスト情報に変換されたコメントデータに関連付けられて記憶部４４に格納される。このため、サーバ４０またはいずれかの部門のワークステーション３０によりこの医療情報データを閲覧する場合、図４（ｂ）に示されるように、カルテ画面１１０に医療情報１００を表示し、コメント情報画面１１４にテキスト情報に変換されたコメントデータを表示することができる。
【００５４】
以上により、まず所見や診断結果などのコメントがシェーマと区別されてコメント情報画面１１４に表示されるため、コメント情報画面１１４を見るだけで所見や診断結果などのコメントを確認することができる。たとえば図４（ｂ）に示される例では、医療情報画面１１２を閲覧した者は、コメント情報画面１１４を見れば、所見が「潰瘍」であることを把握することができる。これによって、コメントを迅速に確認することができ、効率的な医療環境を医師などに提供することができる。また、コメント情報はテキスト情報に変換されているため、コメント情報画面１１４を見る者にコメントをわかりやすく表示することができる。テキスト情報に変換されているため、コメント情報の文字の拡大、および字体や色の変更なども容易に行うこともでき、コメントをさらにわかりやすく表示することもできる。これによって、手書き入力された医療情報を表す医療情報データを有効に利用することが可能となる。
【００５５】
（第３の実施形態）
図５は、第３の実施形態に係る医療情報管理システム２００により医療情報データに実施される処理を示すフローチャートである。なお、Ｓ２１からＳ２３は、図３におけるＳ１１からＳ１３と同様であることから説明を省略する。
【００５６】
図形領域が特定されると、コメント領域特定部６４は、コメント領域を特定する（Ｓ２４）。本実施形態では、領域特定情報４６においてコメント領域は図形領域の外側である旨の相対位置情報が設定されている。したがって、コメント領域特定部６４は、特定された図形領域の外側をコメント領域として特定する。たとえば、図６（ａ）に示される医療情報１００の例において、図形領域特定部６２は、第１の実施形態と同様に臓器図形１０２ａにより画定する領域を図形領域１０６として特定する。したがって、コメント領域特定部６４は、臓器図形１０２ａの外側をコメント領域として特定する。
【００５７】
コメント領域が特定されると、引き出し線データ特定部６８は、引き出し線データを特定する（Ｓ２５）。引き出し線データ特定部６８は、所定の長さ以上の長さを有するラインのデータであって、ラインの両端部の各々が図形領域およびコメント領域に位置するラインのデータを引き出し線データとして特定する。たとえば、図６（ａ）に示される例において、引き出し線１０８は、一端が図形領域１０６内部に位置し、他端が図形領域１０６の外部のコメント領域に位置する。このため、引き出し線データ特定部６８は、引き出し線１０８を引き出し線データとして特定する。
【００５８】
引き出し線データが特定されると、コメントデータ特定部７０は、コメントデータを特定する（Ｓ２６）。コメントデータ特定部７０は、コメント領域に位置し、かつ特定された引き出し線データが示す引き出し線の一端に対して所定の距離以下に近接して位置する医療情報を示す医療情報データをコメントデータとして特定する。たとえば、図６（ａ）に示される例において、コメント１０４は臓器図形１０２ａの外側に記入されており、かつ引き出し線の一端に対し所定の距離以下に近接して位置している。このため、コメントデータ特定部７０は、コメント１０４を示す医療情報データをコメントデータとして特定する。テキスト変換部７２は特定されたコメントデータに対してテキスト変換を実施する。
【００５９】
医療情報データとテキスト情報に変換されたコメントデータは、相互に関連付けられて記憶部４４に格納される（Ｓ２７）。このため、いずれかの部門のワークステーション３０によりこの医療情報データを閲覧する場合、図６（ｂ）に示される例のように、カルテ画面１１０に医療情報１００を表示し、コメント情報画面１１４にテキスト情報に変換されたコメントデータを表示することができる。図６（ｂ）に示される例では、コメント情報画面１１４に、コメントデータとして「潰瘍」の文字がテキスト情報として表示される。
【００６０】
以上により、まず所見や診断結果などのコメントがシェーマと区別されてコメント情報画面１１４に表示されるため、コメント情報画面１１４を見るだけで所見や診断結果などのコメントを確認することができる。たとえば図６（ｂ）に示される例では、医療情報画面１１２を閲覧した者は、コメント情報画面１１４を見れば、所見が「潰瘍」であることを把握することができる。これによって、コメントを迅速に確認することができ、効率的な医療環境を医師などに提供することができる。また、コメント情報はテキスト情報に変換されているため、コメント情報画面１１４を見る者にコメントをわかりやすく表示することができる。テキスト情報に変換されているため、コメント情報の文字の拡大、および字体や色の変更なども容易に行うこともでき、コメントをさらにわかりやすく表示することもできる。これによって、手書き入力された医療情報が引き出し線を含む場合においても、この医療情報を表す医療情報データを有効に利用することが可能となる。
【００６１】
（第４の実施形態）
図７（ａ）は用紙１０に手書き入力された医療情報１００を示す図であり、図７（ｂ）は第４の実施形態に係る医療情報管理システム２００によって医療情報１００が処理され、カルテ画面１１０に表示された状態を示す図である。なお、前述の実施形態と同様の箇所については説明を省略する。
【００６２】
本実施形態では、領域特定情報４６においてコメント領域は図形領域の外側である旨のが相対位置情報が設定されている。図７（ａ）に示される医療情報１００の例において、図形領域特定部６２は、臓器図形１０２ａにより画定する領域を図形領域１０６として特定する。したがって、コメント領域特定部６４は、臓器図形１０２ａの外側をコメント領域として特定する。
【００６３】
また、引き出し線データ特定部６８は、第３の実施形態と同様に医療情報データの中から引き出し線１０８の引き出し線データを特定する。コメントデータ特定部７０は、まず引き出し線の端部に対し所定の距離以下に近接して位置する医療情報を引用情報として特定する。ここで、テキスト変換部７２は、引用情報を含めてコメント領域に位置する医療情報データのすべてをテキスト情報に変換する。このうち、引用情報のテキスト情報と同一のテキスト情報を一連のテキスト情報の最初に有する医療情報データを検索する。このような医療情報データが存在する場合には、この医療情報データから、引き出し線の端部に位置する医療情報を示す医療情報データを除いたものをコメントデータとして特定する。
【００６４】
たとえば、図７（ａ）に示される例では、引き出し線１０８の一端に対し所定の距離以下に近接する箇所に「Ａ」という文字の医療情報が記入されている。このため、コメントデータ特定部７０は、「Ａ」という文字を引用情報１０４ａとして特定する。テキスト変換部７２は、これらの医療情報の医療情報データをテキスト情報に変換し、「Ａ」という文字を最初に含む医療情報データを検索する。ここで、コメント領域内には、「Ａ潰瘍」という文字の医療情報が記入されている。「Ａ潰瘍」は「Ａ」という文字を最初に含むことから、コメントデータ特定部７０は、「Ａ潰瘍」という医療情報データから「Ａ」を除いた「潰瘍」をコメントデータとして特定する。
【００６５】
コメントデータ特定部７０は特定されたコメントデータに対してテキスト変換を実施する。記憶部４４は、医療情報データとテキスト情報に変換されたコメントデータを関連付けて格納する。このため、いずれかの部門のワークステーション３０を使ってユーザがこの医療情報データを閲覧する場合、図７（ｂ）に示されるように、カルテ画面１１０に医療情報１００を表示し、コメント情報画面１１４にテキスト情報に変換されたコメントデータを表示することができる。図７（ｂ）に示される例では、コメント情報画面１１４に、コメントデータとして「潰瘍」の文字がテキスト情報として表示される。
【００６６】
以上により、まず所見や診断結果などのコメントがシェーマと区別されてコメント情報画面１１４に表示されるため、コメント情報画面１１４を見るだけで所見や診断結果などのコメントを確認することができる。たとえば図７（ｂ）に示される例では、医療情報画面１１２を閲覧した者は、コメント情報画面１１４を見れば、所見が「潰瘍」であることを把握することができる。これによって、コメントを迅速に確認することができ、効率的な医療環境を医師などに提供することができる。また、コメント情報はテキスト情報に変換されているため、コメント情報画面１１４を見る者にコメントをわかりやすく表示することができる。テキスト情報に変換されているため、コメント情報の文字の拡大、および字体や色の変更なども容易に行うこともでき、コメントをさらにわかりやすく表示することもできる。これによって、手書き入力された医療情報が引き出し線を有し、さらに引用されたコメントを有する場合においても、この医療情報を表す医療情報データを有効に利用することが可能となる。
【００６７】
（第５の実施形態）
図８は、第５の実施形態に係る医療情報管理システム２００により医療情報データに実施される処理を示すフローチャートである。なお、前述の実施形態と同様の箇所については説明を省略する。
【００６８】
まず、ユーザが電子ペン１２で用紙１０に医療情報１００を手書き入力する（Ｓ３１）。これにより、電子ペン１２は用紙１０に手書き入力された医療情報１００を医療情報データとして取得する。取得された医療情報データおよび用紙ＩＤは、ワークステーション３０およびネットワーク３８を介してサーバ４０に入力される。サーバ４０に入力された医療情報データは、記憶部４４に格納される（Ｓ３２）。
【００６９】
記憶部４４には、用紙ＩＤと、所定の臓器の図形が表されたフォームが関連付けられた参照テーブルが格納されている。電子ペン１２により取得された医療情報データが記憶部４４に格納されると、図形領域特定部６２は、まず用紙ＩＤとこの参照テーブルからフォームを特定する（Ｓ３３）。記憶部４４には、フォーム情報５２として、様々なフォームのシェーマ記入領域情報５４、臓器領域情報５６、部位領域情報５８が格納されている。
【００７０】
本実施形態においては、たとえば図９に示されるような印刷図形１２０があらかじめ印刷されたフォームに医療情報を記入することができる。このフォームの例では、印刷図形１２０は人間の肺および気管支の図を含んでいる。この肺の図から肺の臓器領域である第１臓器領域１２２ａが画定する。また、この気管支の図から気管支の臓器領域である第２臓器領域１２２ｂが画定する。このフォームの例では、肺の臓器領域である第１臓器領域１２２ａは複数の領域にさらに区分されている。また、このフォームの例では、第１臓器領域１２２ａは、左肺上葉部を示す第１部位領域１２４ａ、左肺下葉部を示す第２部位領域１２４ｂ、右肺上葉部を示す第３部位領域１２４ｃ、右肺中葉部を示す第４部位領域１２４ｄ、右肺下葉部を示す第４部位領域１２４ｄに区分される。フォーム情報５２の臓器領域情報５６には、肺の領域である第１臓器領域１２２ａの領域を示す情報、および気管支の領域である第２臓器領域１２２ｂの領域を示す情報が含まれている。
【００７１】
フォームが特定されると、コメントデータ特定部７０は、記憶部４４に格納されたフォーム情報５２から、そのフォームに対応する臓器領域情報５６を取得し、図形領域を特定する。本実施形態では、領域特定情報４６においてコメント領域は図形領域の内側である旨の相対位置情報が設定されている。したがって、コメント領域特定部６４は、特定された図形領域の内側をコメント領域として特定する（Ｓ３４）。
【００７２】
コメント領域が特定されると、コメントデータ特定部７０は、コメント領域に位置する医療情報データをコメントデータとして特定する（Ｓ３５）。特定されたコメントデータは、テキスト変換部７２によりテキスト情報に変換される。図１０（ａ）に示される例では、コメント領域である第１臓器領域１２２ａに「腫瘍」という手書き文字からなるコメント１０４が記入されている。したがって、コメントデータ特定部７０は、コメント１０４を示す医療情報データをコメントデータとして特定する。特定されたコメント１０４を示す医療情報データは、テキスト変換部７２により、「腫瘍」というテキスト情報に変換される。
【００７３】
コメントデータが特定されると、臓器特定部７６は、コメントデータの位置からコメントが記入された臓器を特定する（Ｓ３６）。臓器特定部７６は、臓器領域情報５６に含まれる臓器の領域と特定されたコメントデータの位置から、特定されたコメントデータがどの臓器の臓器領域に位置するかを判断し、コメントが記入された臓器を特定する。図１０（ａ）に示される例では、コメント１０４は、「肺」の領域を示す第１臓器領域１２２ａに位置する。したがって、臓器特定部７６は、コメント１０４を示す医療情報データの臓器情報を「肺」として特定する。
【００７４】
また、部位特定部７８は、コメントデータの位置から部位を特定する（Ｓ３７）。部位特定部７８は、部位領域情報５８に含まれる臓器の部位の領域と特定されたコメントデータの位置から、特定されたコメントデータがどの臓器の部位の部位領域に位置するかを判断し、コメントが記入された臓器の部位を特定する。図１０（ａ）に示される例では、コメント１０４は、「左肺上葉部」を示す第１部位領域１２４ａに位置する。したがって、部位特定部７８は、コメント１０４を示す医療情報データの部位情報を「左肺上葉部」として特定する。
【００７５】
コメントデータの位置から臓器および臓器の部位が特定されると、記憶部４４は、医療情報データとコメントデータ、臓器情報、部位情報を関連付けて格納する（Ｓ３８）。サーバ４０またはいずれかの部門のワークステーション３０によりこれらの情報を閲覧する場合、図１０（ｂ）に示されるように、カルテ画面１１０に医療情報１００を表示し、コメント情報画面１１４にテキスト情報に変換されたコメントデータ、および臓器情報、部位情報を表示することができる。図１０（ｂ）に示される例では、コメント情報画面１１４に、コメントデータとして「腫瘍」、臓器情報として「肺」、部位情報として「左肺上葉部」の文字がテキスト情報として表示される。
【００７６】
以上により、まず所見や診断結果などのコメントがシェーマと区別されてコメント情報画面１１４に表示されるため、コメント情報画面１１４を見るだけで所見や診断結果などのコメントを確認することができる。これによって、コメントを迅速に確認することができ、効率的な医療環境を医師などに提供することができる。また、コメント情報はテキスト情報に変換されているため、コメント情報画面１１４を見る者にコメントをわかりやすく表示することができる。テキスト情報に変換されているため、コメント情報の文字の拡大、および字体や色の変更なども容易に行うこともでき、コメントをさらにわかりやすく表示することもできる。また、コメントが関連する臓器情報や部位情報も表示されるため、コメント情報画面１１４を見ることにより、臓器や部位に関連付けられた状態でコメントを見ることができる。このため、コメント情報画面１１４を見ることで医療情報１００の詳細を把握することができる。たとえば、図１０（ｂ）に示される例では、医療情報画面１１２を閲覧した者は、コメント情報画面１１４を見れば、左肺上葉部に腫瘍があるという診断結果を把握することができる。このように臓器の図形があらかじめ印刷された用紙１０を使って、手書き入力された医療情報を表す医療情報データを有効に利用することが可能となる。
【００７７】
（第６の実施形態）
図１１は、第６の実施形態に係る医療情報管理システム２００により医療情報データに実施される処理を示すフローチャートである。Ｓ４１からＳ４４は、図８のＳ３１からＳ３４と同様であるので、説明を省略する。
【００７８】
図形領域およびコメント領域が特定されると、引き出し線データ特定部６８は、医療情報データの中から引き出し線データを特定する（Ｓ４５）。引き出し線データ特定部６８は、所定の長さ以上の長さを有するラインのデータであって、ラインの一端が図形領域に位置し他端がコメント領域に位置するラインの医療情報データを、引き出し線データとして特定する。図１２（ａ）に示される例において、引き出し線１０８は、一端が図形領域として特定された第１臓器領域１２２ａの内部に位置し、他端がコメント領域、すなわち第１臓器領域１２２ａおよび第２臓器領域１２２ｂの外部に位置する。このため、引き出し線データ特定部６８は、引き出し線１０８を引き出し線データとして特定する。
【００７９】
引き出し線データが特定されると、コメントデータ特定部７０は、コメントデータを特定する（Ｓ４６）。コメントデータ特定部７０は、前述と同様に、コメント領域に位置し、かつ特定された引き出し線データが示す引き出し線の一端と所定の距離以下に近接して位置する医療情報を示す医療情報データをコメントデータとして特定する。  図１２（ａ）に示される例において、コメント１０４はコメント領域、すなわち第１臓器領域１２２ａおよび第２臓器領域１２２ｂの外部に記入されている。また、コメント１０４は、引き出し線１０８の一端に対し所定の距離以下に近接して位置している。このため、コメントデータ特定部７０は、コメント１０４を示す医療情報データをコメントデータとして特定する。テキスト変換部７２は特定されたコメントデータに対してテキスト変換を実施する。
【００８０】
コメントデータが特定されると、臓器特定部７６は、引き出し線の端部の位置からコメントの対象となる臓器を特定する（Ｓ４７）。本実施形態においては、臓器特定部７６は、臓器領域情報５６に含まれる臓器の領域と、特定された引き出し線データが示す引き出し線の端部の位置を比較する。これによって、特定された引き出し線データが示す引き出し線がどの臓器領域に位置するかを判断し、コメントの対象となる臓器を特定する。図１２（ａ）に示される例では、引き出し線１０８の端部は、肺の臓器を示す第１臓器領域１２２ａの内部に位置する。したがって、臓器特定部７６は、引き出し線１０８のもう一方の端部近傍に位置するコメント１０４の対象となる臓器が「肺」であると特定する。
【００８１】
引き出し線の端部の位置から臓器が特定されると、部位特定部７８は、引き出し線の端部の位置から部位を特定する（Ｓ４８）。本実施形態においては、臓器特定部７６は、部位領域情報５８に含まれる臓器の領域と、特定された引き出し線データが示す引き出し線の端部の位置を比較する。これによって、特定された引き出し線データが示す引き出し線がどの部位領域に位置するかを判断し、コメントの対象となる部位を特定する。図１２（ａ）に示される例では、引き出し線１０８の端部は、左肺上葉部を示す第１部位領域１２４ａの内部に位置する。したがって、部位特定部７８は、引き出し線１０８のもう一方の端部近傍に位置するコメント１０４の対象となる臓器が「左肺上葉部」であると特定する。
【００８２】
コメントの対象となる臓器および部位が特定されると、記憶部４４は、医療情報データとコメントデータ、臓器情報、部位情報を関連付けて格納する（Ｓ４９）。サーバ４０またはいずれかの部門のワークステーション３０によりこれらの情報を閲覧する場合、図１２（ｂ）に示されるように、カルテ画面１１０に医療情報１００を表示し、コメント情報画面１１４にテキスト情報に変換されたコメントデータ、および臓器情報、部位情報を表示することができる。図１２（ｂ）に示される例では、コメント情報画面１１４に、コメントデータとして「腫瘍」、臓器情報として「肺」、部位情報として「左肺上葉部」の文字がテキスト情報として表示される。
【００８３】
以上により、まず所見や診断結果などのコメントがシェーマと区別されてコメント情報画面１１４に表示されるため、コメント情報画面１１４を見るだけで所見や診断結果などのコメントを確認することができる。これによって、コメントを迅速に確認することができ、効率的な医療環境を医師などに提供することができる。また、コメント情報はテキスト情報に変換されているため、コメント情報画面１１４を見る者にコメントをわかりやすく表示することができる。テキスト情報に変換されているため、コメント情報の文字の拡大、および字体や色の変更なども容易に行うこともでき、コメントをさらにわかりやすく表示することもできる。また、コメントが関連する臓器情報や部位情報も表示されるため、コメント情報画面１１４を見ることにより、臓器や部位に関連付けられた状態でコメントを見ることができる。このため、コメント情報画面１１４を見ることで医療情報１００の詳細を把握することができる。このように、手書き入力された医療情報から臓器や部位を特定することにより、手書き入力された医療情報を表す医療情報データを有効に利用することが可能となる。たとえば、図１２（ｂ）に示される例では、医療情報画面１１２を閲覧した者は、コメント情報画面１１４を見れば、左肺上葉部に腫瘍があるという診断結果を把握することができる。このように臓器の図形があらかじめ印刷されたフォームを使い、さらに引き出し線を使ってコメントを記入した場合においても、手書き入力された医療情報を表す医療情報データを有効に利用することが可能となる。
【００８４】
（第７の実施形態）
図１３は、第７の実施形態に係る医療情報管理システム２００により医療情報データに実施される処理を示すフローチャートである。Ｓ５１からＳ５５は図２のＳ１１からＳ１５と同様であるため説明を省略する。
【００８５】
用紙１０に電子ペン１２によりシェーマが手書き入力された場合、図形データ特定部６６は、手書き入力されたシェーマを図形データとして特定する。臓器特定部７６は、特定された図形データと記憶部４４に格納された臓器形状情報４８から、手書き入力されたシェーマが表す臓器を特定する（Ｓ５６）。本実施形態において、臓器特定部７６は、特定された図形データが示す図形の形状と、臓器形状情報４８に含まれる様々な臓器形状データが示す臓器の形状とを比較する。臓器形状情報４８に含まれる臓器形状データが示す臓器の形状のうち、特定された図形データが示す図形の形状と最も近いものを、その図形データが示す臓器として特定する。
【００８６】
図１４（ａ）に示される例では、用紙１０には胃の形状を示す臓器図形１０２ａが手書き入力されている。まず図形データ特定部６６は、ラインの長さなどからこの臓器図形１０２ａを図形データとして特定する。臓器特定部７６は、この臓器図形１０２ａの形状と、臓器形状情報４８に含まれる臓器形状データが示す臓器の形状とを比較する。臓器形状情報４８には、胃の形状を示す臓器形状データが含まれており、臓器特定部７６は、臓器図形１０２ａが示す臓器は胃であると特定する。
【００８７】
また、部位特定部７８は、特定された図形データと記憶部４４に格納された部位領域情報５０から、手書き入力されたシェーマにおいて、コメントの対象である部位を特定する（Ｓ５７）。本実施形態において、部位特定部７８は、臓器特定部７６によって特定された臓器の部位の領域について、部位領域情報５０を参照する。部位特定部７８は、特定されたコメントデータの位置と部位領域情報５０に含まれる部位領域データが示す部位の領域から、特定されたコメントデータがどの部位に記入されているかを特定する。これによって、シェーマおよびコメントが手書き入力された場合に、コメントの対象である部位を特定する。
【００８８】
図１４（ａ）に示される例では、臓器特定部７６により臓器は胃と特定されていることから、部位特定部７８は、胃の部位領域情報を参照する。部位特定部７８は、「潰瘍」という文字からなるコメント１０４が手書き入力された位置と部位領域情報５０に含まれる胃の部位領域情報から、コメント１０４が胃の噴門部、胃体部、幽門部などのいずれの部位領域に記載されたかを特定する。図１４（ａ）に示される例では、コメント１０４は胃体部に位置することから、部位特定部７８は、コメント１０４は胃体部に記入されていると特定する。
【００８９】
臓器および部位が特定されると、医療情報データは、コメントデータ、特定された臓器を示す臓器情報、および特定された部位を示す部位情報に関連付けられて記憶部４４に格納される（Ｓ５８）。サーバ４０またはいずれかの部門のワークステーション３０によりこれらの情報を閲覧する場合、図１４（ｂ）に示されるように、カルテ画面１１０に医療情報１００を表示し、コメント情報画面１１４にテキスト情報に変換されたコメントデータ、および臓器情報、部位情報を表示することができる。図１４（ｂ）に示される例では、コメント情報画面１１４に、コメントデータとして「潰瘍」、臓器情報として「胃」、部位情報として「胃体部」の文字がテキスト情報として表示される。
【００９０】
以上により、まず所見や診断結果などのコメントがシェーマと区別されてコメント情報画面１１４に表示されるため、コメント情報画面１１４を見るだけで所見や診断結果などのコメントを確認することができる。これによって、コメントを迅速に確認することができ、効率的な医療環境を医師などに提供することができる。また、コメント情報はテキスト情報に変換されているため、コメント情報画面１１４を見る者にコメントをわかりやすく表示することができる。テキスト情報に変換されているため、コメント情報の文字の拡大、および字体や色の変更なども容易に行うこともでき、コメントをさらにわかりやすく表示することもできる。また、コメントが関連する臓器情報や部位情報も表示されるため、コメント情報画面１１４を見ることにより、臓器や部位に関連付けられた状態でコメントを見ることができる。このため、コメント情報画面１１４を見ることで医療情報１００の詳細を把握することができる。たとえば、図１４（ｂ）に示される例では、医療情報画面１１２を閲覧した者は、コメント情報画面１１４を見れば、胃体部に潰瘍があるという診断結果を把握することができる。このように、手書き入力された医療情報から臓器や部位を特定することにより、手書き入力された医療情報を表す医療情報データを有効に利用することが可能となる。
【００９１】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そうした例をあげる。
【００９２】
医療情報管理システム２００は、スキャナにより手書き入力された医療情報を示す医療情報データを取得してもよい。この場合、用紙が入力媒体として、紙面が入力領域として機能し、スキャナが医療情報データ取得手段として機能する。また、医療情報管理システム２００は、グラフィックタブレット、デジタイザ、または画面への入力が可能なタブレットＰＣなどにより、手書き入力された医療情報を示す医療情報データを取得してもよい。この場合、これらの機器の各々が入力媒体および医療情報データ取得手段として機能し、これらの機器の入力面や画面が入力領域として機能する。これにより、手書き入力された医療情報を医療情報データとして容易に取得することができる。
【図面の簡単な説明】
【００９３】
【図１】第１の実施形態に係る医療情報管理システムの全体構成を示す図である。
【図２】第１の実施形態に係る医療情報管理システムにより医療情報データに実施する処理を示すフローチャートである。
【図３】第１の実施形態に係る医療情報管理システムにおいて、用紙に手書き入力された医療情報データが処理された例を示す図であり、（ａ）は用紙に手書き入力された医療情報を示す図であり、（ｂ）はカルテ画面に表示された医療情報などを示す図である。
【図４】（ａ）は用紙に手書き入力された医療情報を示す図であり、（ｂ）は第２の実施形態に係る医療情報管理システムによって医療情報が処理され、カルテ画面に表示された状態を示す図である。
【図５】第３の実施形態に係る医療情報管理システムにより医療情報データに実施する処理を示すフローチャートである。
【図６】（ａ）は用紙に手書き入力された医療情報を示す図であり、（ｂ）は第３の実施形態に係る医療情報管理システムによって医療情報が処理され、カルテ画面に表示された状態を示す図である。
【図７】（ａ）は用紙に手書き入力された医療情報を示す図であり、（ｂ）は第４の実施形態に係る医療情報管理システムによって医療情報が処理され、カルテ画面に表示された状態を示す図である。
【図８】第５の実施形態に係る医療情報管理システムにより医療情報データに実施する処理を示すフローチャートである。
【図９】第５の実施形態に係る医療情報管理システムにおいて使用される用紙の例を示す図である
【図１０】（ａ）は用紙に手書き入力された医療情報を示す図であり、（ｂ）は第５の実施形態に係る医療情報管理システムによって医療情報が処理され、カルテ画面に表示された状態を示す図である。
【図１１】第６の実施形態に係る医療情報管理システムにより医療情報データに実施する処理を示すフローチャートである。
【図１２】（ａ）は用紙に手書き入力された医療情報を示す図であり、（ｂ）は第６の実施形態に係る医療情報管理システムによって医療情報が処理され、カルテ画面に表示された状態を示す図である。
【図１３】第７の実施形態に係る医療情報管理システムにより医療情報データに実施する処理を示すフローチャートである。
【図１４】（ａ）は用紙に手書き入力された医療情報を示す図であり、（ｂ）は第７の実施形態に係る医療情報管理システムによって医療情報が処理され、カルテ画面に表示された状態を示す図である。
【符号の説明】
【００９４】
１０  用紙、  １２  電子ペン、  ３０  ワークステーション、  ４０  サーバ、  ４４  記憶部、  ４６  領域特定情報、  ４８  臓器形状情報、  ５０  部位領域情報、  ５２  フォーム情報、  ５４  シェーマ記入領域情報、  ５６  臓器領域情報、  ５８  部位領域情報、  ６２  図形領域特定部、  ６４  コメント領域特定部、  ６６  図形データ特定部、  ６８  引き出し線データ特定部、  ７０  コメントデータ特定部、  ７２  テキスト変換部、  ７４  コメント対象特定部、  ７６  臓器特定部、  ７８  部位特定部、  １００  医療情報、  １２２  臓器領域、  １２４  部位領域、  ２００  医療情報管理システム。
【図１】
2007025760.tif 000003
【図２】
2007025760.tif 000004
【図３】
2007025760.tif 000005
【図４】
2007025760.tif 000006
【図５】
2007025760.tif 000007
【図６】
2007025760.tif 000008
【図７】
2007025760.tif 000009
【図８】
2007025760.tif 000010
【図９】
2007025760.tif 000011
【図１０】
2007025760.tif 000012
【図１１】
2007025760.tif 000013
【図１２】
2007025760.tif 000014
【図１３】
2007025760.tif 000015
【図１４】
2007025760.tif 000016